(57)【特許請求の範囲】
【請求項１】
電子機器へ電源が供給されるための条件に関する条件情報を記憶する記憶手段と、
前記電子機器への電源供給命令及び前記条件が満たされるか否かを判定するための条件判定情報を前記電子機器の電源遠隔制御装置から通信路を介して受信する受信手段と、
前記受信手段によって受信された条件判定情報と前記記憶手段に記憶された条件情報とを用いて前記条件が満たされるか否かを判断する判断手段と、
前記判断手段によって前記条件が満たされると判断された場合に前記電子機器へ電源が供給されるように電子機器の電源を制御する供給手段と、
前記受信手段が前記電源遠隔制御装置から前記電子機器の電源供給の停止命令を受信した場合に、前記記憶手段に記憶されている条件情報に対応する条件判定情報を前記電源遠隔制御装置へ通知する通知手段と、
前記受信手段が前記通知手段によって通知された条件判定情報を前記電源遠隔制御装置から受信した場合に、この条件判定情報と前記記憶手段に記憶された条件情報とを用いて前記条件が満たされるか否かを判断する確認判断手段と、
前記確認判断手段によって前記条件が満たされると判断された場合に、前記電子機器への電源の供給を停止するように電子機器の電源を制御する停止手段と、
を備える電子機器の電源制御装置。
【請求項２】
前記記憶手段は、前記条件情報としての照合元情報を記憶し、
前記受信手段は、前記条件判定情報としての照合対象情報を前記電源遠隔制御装置から受信し、
前記判断手段は、前記照合元情報と前記照合対象情報とが合致する場合に、前記条件が満たされると判断する、請求項１記載の電子機器の電源制御装置。
【請求項３】
前記照合元情報は、前記電子機器の識別情報を含む、請求項２記載の電子機器の電源制御装置。
【請求項４】
前記電子機器の識別情報は、前記電子機器の終了時刻を含む、請求項３記載の電子機器の電源制御装置。
【請求項５】
前記照合元情報は、前記電子機器の使用者の認証情報を含む、請求項３又は４記載の電子機器の電源制御装置。
【請求項６】
前記使用者の認証情報は、使用者によって指定されたパスワードを含む、請求項５記載の電子機器の電源制御装置。
【請求項７】
前記使用者の認証情報は、使用者のバイオメトリクス情報を含む、請求項５又は６記載の電子機器の電源制御装置。
【請求項８】
前記照合元情報は、前記電子機器又は前記電源制御装置で生成され且つ前記照合対象情報として前記電源遠隔制御装置に通知される電子機器の識別情報と、前記電源遠隔制御装置から受信され前記照合対象情報としても使用される使用者の認証情報とを含む、請求項２記載の電子機器の電源制御装置。
【請求項９】
電子機器へ電源が供給されるための条件に関する条件情報を記憶する条件情報記憶手段，前記電子機器の電源供給命令を得た場合にこの電子機器の電源遠隔制御装置から前記条件が満たされるか否かを判定するための条件判定情報を通信路を介して受信する受信手段，前記受信手段によって受信された条件判定情報と前記条件情報記憶手段に記憶された条件情報とを用いて前記条件が満たされるか否かを判断する判断手段，及び前記判断手段によって前記条件が満たされると判断された場合に前記電子機器への電源供給を指示する供給手段，を備える電源制御装置と、
前記条件判定情報を記憶する条件判定情報記憶手段，入力手段，及び前記入力手段から前記電子機器の電源供給命令が入力された場合にこの電源供給命令及び前記条件判定情報記憶手段に記憶された条件判定情報を前記電源制御装置へ前記通信路を介して送信する送信手段、を備える電源遠隔制御装置とを含み、
前記電源制御装置は、前記受信手段が前記電源遠隔制御装置から前記電子機器の電源供給の停止命令を受信した場合に前記条件情報記憶手段に記憶されている条件情報に対応する条件判定情報を前記電源遠隔制御装置へ通知する通知手段，前記受信手段が前記通知手段によって通知された条件判定情報を前記電源遠隔制御装置から受信した場合にこの条件判定情報と前記条件情報記憶手段に記憶された条件情報とを用いて前記条件が満たされるか否かを判断する確認判断手段，及び前記確認判断手段によって前記条件が満たされると判断された場合に前記電子機器への電源の供給を停止する停止手段，をさらに備え、
前記電源遠隔制御装置は、前記通知手段から条件判定情報を受け取った場合に、この条件判定情報を前記条件判定情報記憶手段に記憶するとともに前記確認判断手段による処理のために前記電源制御装置へ送信する、電子機器の電源制御システム。
【請求項１０】
前記条件情報記憶手段は、前記条件情報としての照合元情報を記憶し、
前記受信手段は、前記条件判定情報としての照合対象情報を前記電源遠隔制御装置から受信し、
前記判断手段は、前記照合元情報と前記照合対象情報とが合致する場合に、前記条件が満たされると判断する、請求項９記載の電子機器の電源制御システム。
【請求項１１】
前記照合元情報は、前記電子機器の識別情報を含む、請求項１０記載の電子機器の電源制御システム。
【請求項１２】
前記電子機器の識別情報は、前記電子機器の終了時刻を含む、請求項１１記載の電子機器の電源制御システム。
【請求項１３】
前記照合元情報は、前記電子機器の使用者の認証情報を含む、請求項１１又は１２記載の電子機器の電源制御システム。
【請求項１４】
前記使用者の認証情報は、使用者によって指定されたパスワードを含む、請求項１３記載の電子機器の電源制御システム。
【請求項１５】
前記使用者の認証情報は、使用者のバイオメトリクス情報を含む、請求項１３又は１４記載の電子機器の電源制御システム。
【請求項１６】
前記照合元情報は、前記電子機器又は前記電源制御装置で生成され且つ前記照合対象情報として前記電源遠隔制御装置に与えられる電子機器の識別情報と、前記電源遠隔制御装置から受信され前記照合対象情報としても使用される使用者の認証情報とを含む、請求項１０記載の電子機器の電源制御システム。
【請求項１７】
前記電源遠隔制御装置は、前記送信手段が前記電源制御装置へ前記電源供給命令を送信する動作及び／又は前記入力手段によって電源供給命令及び停止命令が入力される動作を規制する規制手段，前記規制を解除するための条件に関する解除条件情報を記憶した解除条件情報記憶手段，前記解除条件が満たされるか否かを判断するための解除条件判断情報が入力された場合に前記解除条件情報記憶手段に記憶されている解除条件情報と入力された解除条件判断情報とを用いて前記解除条件が満たされるか否かを判断する解除条件判断手段，及び前記解除条件判断手段によって前記解除条件が満たされると判断された場合に前記規制を解除する解除手段をさらに備える、請求項９〜１６のいずれかに記載の電子機器の電源制御システム。
【請求項１８】
前記電源遠隔制御装置は、前記条件判定情報記憶手段，入力手段，及び送信手段が設けられた可搬性を有する筐体を有し、前記送信手段は、非接触通信によって前記電源供給命令及び前記条件判定情報を前記電源制御装置に送信する、請求項９〜１７のいずれかに記載の電子機器の電源制御システム。
【発明の詳細な説明】
技術分野
本発明は、電子機器への電源供給を制御し電子機器に保存された情報の機密性を保持するための電源制御装置に関する。
背景技術
従来、情報端末などのデバイス（電子機器）に保持されている個人情報や企業の内部情報など外部に漏らしたくない機密情報の機密保持を図るため、電子機器が関係者以外の者によって操作されないようにした様々なシステムがある。
このような電子機器の使用者を制限するシステムの中には、例えば情報端末に搭載された基本入出力システム（ＢＩＯＳ）にパスワードを設けたシステムがある。このシステムは、情報端末に電源が供給された後にＢＩＯＳが起動され、ＢＩＯＳが起動している間にパスワードの入力が使用者に要求される。使用者によって正しいパスワードが入力されることにより、はじめて情報端末がスタンバイ状態（オペレーションシステム（ＯＳ）が起動されている状態）となる。情報端末はスタンバイ状態になることによって操作を行うことが可能になる。このため、このシステムでは使用者が正しいパスワードを入力しない限り情報端末をスタンバイ状態にすることが不可能であるため、パスワードを関係者が機密保持することにより、関係者以外の者によって情報端末が操作されることを防止することが出来る。
しかしながら、上記したＢＩＯＳにパスワードを設けたシステムは、十分なパスワードの桁数を確保できない。また、使用者が不適当なパスワード（関係者以外の者が容易に想到可能なパスワード、即ち使用者のイニシャル，生年月日，電話番号など）を選択する場合がある。このような理由により容易に関係者以外の者にパスワードを知られてしまう可能性がある。
また、上記したシステムは、一般的に使用者がパスワードを忘却してしまう際を考慮して、その解除方法（パスワードを入力しなくとも電子機器をスタンバイ状態にする方法、又はパスワードを新たに設定する方法など）が必ず用意されている。関係者以外の者が上記解除方法を知ることは容易であり、また上記解除方法は広く知れ渡っている。
既に電源が供給されている（ＢＩＯＳが稼働している）情報端末は、このように、パスワードが容易に知られてしまうということや解除手段が広く知れ渡っているということが原因で、関係者以外の者によってスタンバイ状態にされ操作されてしまう可能性があった。
本発明は、関係者以外の者が電子機器に電源を供給しスタンバイ状態にすることが困難なシステムを提供することを目的とする。
発明の開示
本発明は、上記目的を達成するために以下の構成を採用する。即ち、本発明は、
電子機器の電源制御装置であって、
電子機器へ電源が供給されるための条件に関する条件情報を記憶する記憶手段と、
前記電子機器への電源供給命令及び前記条件が満たされるか否かを判定するための条件判定情報を前記電子機器の電源遠隔制御装置から通信路を介して受信する受信手段と、
前記受信手段によって受信された条件判定情報と前記記憶手段に記憶された条件情報とを用いて前記条件が満たされるか否かを判断する判断手段と、
前記判断手段によって前記条件が満たされると判断された場合に前記電子機器へ電源が供給されるように電子機器の電源を制御する供給手段とを備える。
本発明による電子機器の電源制御装置によれば、受信手段が電子機器の電源遠隔制御装置より電源供給命令及び条件判定情報を受信する。受信された条件判定情報が条件情報記憶手段に記憶されている条件情報の条件を満たすか否かを判断手段は判断し、判断手段が条件を満たすと判断した場合に供給手段は電子機器に電源が供給されるように電子機器の電源を制御する。このため、電子機器に電源を供給するためには、電源制御装置に対して、電源制御装置の記憶手段が有する条件情報の条件を満たす条件判定情報及び電源供給命令の二つの情報を送信する電源遠隔制御装置が必要となる。よって、電源遠隔制御装置を有しない関係者以外の者が電子機器に電源を供給することが困難となる。
また、本発明の電子機器の電源制御装置は、前記受信手段が前記電源遠隔制御装置から前記電子機器の電源供給の停止命令を受信した場合に、前記記憶手段に記憶されている条件情報に対応する条件判定情報を前記電源遠隔制御装置へ通知する通知手段と、
前記受信手段が前記通知手段によって通知された条件判定情報を前記電源遠隔制御装置から受信した場合に、この条件判定情報と前記記憶手段に記憶された条件情報とを用いて前記条件が満たされるか否かを判断する確認判断手段と、
前記確認判断手段によって前記条件が満たされると判断された場合に、前記電子機器への電源の供給を停止するように電子機器の電源を制御する停止手段とをさらに備えてもよい。
本発明による電子機器の電源制御装置によれば、受信手段が電子機器の電源遠隔制御装置から停止命令を受信すると、通知手段は条件情報記憶手段より条件情報を読みだし、電子機器の電源遠隔制御装置に対して読み出した条件情報に対応する条件判定情報を通知する。その後、上記通知手段によって通知された条件判定情報が電子機器の電源遠隔制御装置から受信され、受信された条件判定情報と記憶手段に記憶されている条件情報とを用いて条件が満たされるか否かを確認判断手段が判断する。確認判断手段が上記条件が満たされていると判断した後、停止手段は電子機器への電源の供給を停止させる。
また、本発明の電子機器の電源制御装置の前記記憶手段は、前記条件情報としての照合元情報を記憶し、
前記受信手段は、前記条件判定情報としての照合対象情報を前記電源遠隔制御装置から受信し、
前記判断手段は、前記照合元情報と前記照合対象情報とが合致する場合に、前記条件が満たされると判断するように構成されてもよい。
また、本発明の電子機器の電源制御装置の前記照合元情報は、前記電子機器の識別情報を含むように構成してもよい。
また、本発明の電子機器の電源制御装置の前記電子機器の識別情報は、前記電子機器の終了時刻を含むように構成してもよい。
また、本発明の電子機器の電源制御装置の前記照合元情報は、前記電子機器の使用者の認証情報を含むように構成してもよい。
また、本発明の電子機器の電源制御装置の前記使用者の認証情報は、使用者によって指定されたパスワードを含むように構成してもよい。
また、本発明の電子機器の電源制御装置の前記使用者の認証情報は、使用者のバイオメトリクス情報を含むように構成してもよい。使用者のバイオメトリクス情報は、例えば指紋情報、虹彩情報、網膜情報などを含む。
また、本発明の電子機器の電源制御装置の前記照合元情報は、前記電子機器又は前記電源制御装置で生成され且つ前記照合対象情報として前記電源遠隔制御装置に通知される電子機器の識別情報と、前記電源遠隔制御装置から受信され前記照合対象情報としても使用される使用者の認証情報とを含むように構成してもよい。
また、本発明は電子機器の電源制御システムであり、電子機器へ電源が供給されるための条件に関する条件情報を記憶する条件情報記憶手段，前記電子機器の電源供給命令を得た場合にこの電子機器の電源遠隔制御装置から前記条件が満たされるか否かを判定するための条件判定情報を通信路を介して受信する受信手段，前記受信手段によって受信された条件判定情報と前記条件情報記憶手段に記憶された条件情報とを用いて前記条件が満たされるか否かを判断する判断手段，及び前記判断手段によって前記条件が満たされると判断された場合に前記電子機器への電源供給を指示する供給手段，を備える電源制御装置と、
前記条件判定情報を記憶する条件判定情報記憶手段，入力手段，及び前記入力手段から前記電子機器の電源供給命令が入力された場合にこの電源供給命令及び前記条件判定情報記憶手段に記憶された条件判定情報を前記電源制御装置へ前記通信路を介して送信する送信手段、を備える電源遠隔制御装置と、
を含む。
本発明による電子機器の電源制御システムによれば、条件判定情報記憶手段に記憶されている条件判定情報及び入力手段によって入力された電源供給命令を送信手段が電子機器の電源制御装置に送信する。電源制御装置の受信手段によって電源供給命令と条件判定情報とが受信されると、受信された条件判定情報と条件情報記憶手段に記憶されている条件情報とを用いて、判断手段は条件を満たす（一致する、又はあらかじめ定められた規則によって変形すると一致するなど）か否かを判断し、判断手段が条件を満たすと判断した場合にのみ、供給手段は電源が電子機器に電源を供給するように制御し、電子機器は電源を供給されてスタンバイ状態となる。
また、本発明による電子機器の電源制御システムは、前記電源制御装置は、前記受信手段が前記電源遠隔制御装置から前記電子機器の電源供給の停止命令を受信した場合に前記条件情報記憶手段に記憶されている条件情報に対応する条件判定情報を前記電源遠隔制御装置へ通知する通知手段，前記受信手段が前記通知手段によって通知された条件判定情報を前記電源遠隔制御装置から受信した場合にこの条件判定情報と前記記憶手段に記憶された条件情報とを用いて前記条件が満たされるか否かを判断する確認判断手段，及び前記確認判断手段によって前記条件が満たされると判断された場合に前記電子機器への電源の供給を停止する停止手段，をさらに備え、
前記電源遠隔制御装置は、前記通知手段から条件判定情報を受け取った場合に、この条件判定情報を前記条件判定情報記憶手段に記憶するとともに前記確認判断手段による処理のために前記電源制御装置へ送信するように構成してもよい。
本発明による電子機器の電源制御システムによれば、電源制御装置が電源遠隔制御装置から停止命令を受信した後、電源制御装置の通知手段は電源遠隔制御装置に対して、条件情報記憶手段に記憶されている条件情報に対応する条件判定情報を通知する。電源遠隔制御装置は、上記条件判定情報を受信すると受信した条件判定情報を条件判定情報記憶手段に書き込み、書き込んだ条件判定情報を電源制御装置に送信する。電源制御装置は電源遠隔制御装置から条件判定情報を受信すると、確認判断手段は、受信した条件判定情報と条件情報記憶手段に記憶されている条件情報とを用いて条件を満たすか否かを判断する。確認判断手段が条件を満たすと判断した場合、停止手段は電子機器への電源供給を停止する。
また、本発明による電子機器の電源制御システムは、前記記憶手段は、前記条件情報としての照合元情報を記憶し、
前記受信手段は、前記条件判定情報としての照合対象情報を前記電源遠隔制御装置から受信し、
前記判断手段は、前記照合元情報と前記照合対象情報とが合致する場合に、前記条件が満たされると判断するように構成してもよい。
また、本発明による電子機器の電源制御システムの前記照合元情報は、前記電子機器の識別情報を含むように構成してもよい。
また、本発明による電子機器の電源制御システムの前記電子機器の識別情報は、前記電子機器の終了時刻を含むように構成してもよい。
また、本発明による電子機器の電源制御システムの前記照合元情報は、前記電子機器の使用者の認証情報を含むように構成してもよい。
また、本発明による電子機器の電源制御システムの前記使用者の認証情報は、使用者によって指定されたパスワードを含むように構成してもよい。
また、本発明による電子機器の電源制御システム前記使用者の認証情報は、使用者のバイオメトリクス情報を含むように構成してもよい。
また、本発明による電子機器の電源制御システムの前記照合元情報は、前記電子機器又は前記電源制御装置で生成され且つ前記照合対象情報として前記電源遠隔制御装置に与えられる電子機器の識別情報と、前記電源遠隔制御装置から受信され前記照合対象情報としても使用される使用者の認証情報とを含むように構成してもよい。
また、本発明による電子機器の電源制御システムの前記電源遠隔制御装置は、前記送信手段が前記電源制御装置へ前記電源供給命令を送信する動作及び／又は前記入力手段によって電源供給命令及び停止命令が入力される動作を規制する規制手段，前記規制を解除するための条件に関する解除条件情報を記憶した解除条件情報記憶手段，前記解除条件が満たされるか否かを判断するための解除条件判断情報が入力された場合に前記解除条件情報記憶手段に記憶されている解除条件情報と入力された解除条件判断情報とを用いて前記解除条件が満たされるか否かを判断する解除条件判断手段と，及び前記解除条件判断手段によって前記解除条件が満たされると判断された場合に前記規制を解除する解除手段をさらに備えるように構成してもよい。
本発明による電子機器の電源制御システムによれば、電源遠隔制御装置の送信手段の動作及び／又は入力手段によって電源供給命令及び停止命令が入力される動作は規制手段によってあらかじめ規制されており、電源制御装置へ電源供給命令を送信することができない。入力手段によって解除条件判断情報が入力されると、解除条件判断手段は、入力された解除条件判断情報と解除条件情報記憶手段に記憶されている解除条件情報とを用いて解除条件が満たされるか否かを判断する。解除条件判断手段が、解除条件が満たされていると判断した場合、解除手段が上記規制を解除する。
また、本発明による電子機器の電源制御システムの前記電源遠隔制御装置は、前記条件判定情報記憶手段，入力手段，及び送信手段が設けられた可搬性を有する筐体を有し、前記送信手段は、非接触通信によって前記電源供給命令及び前記条件判定情報を前記電源制御装置に送信するように構成してもよい。
発明を実施するための最良の形態
以下、図面を参照して本発明の実施形態を説明する。実施形態の構成は例示であり、本発明は実施形態の構成に限定されない。
〈システム構成〉
図１は、本発明の実施形態による電子機器の電源制御システムのハードウェア構成の概略を示した図である。本システムは、デバイスＤ（本発明の電子機器に相当）への電源供給を、デバイスＤから切り離された装置を用いて制御するために使用される。図１に示すように、デバイスＤは、不揮発性メモリ１００Ａとマイコン１００Ｂと通信装置１００Ｃとを備えデバイスＤの電源の制御を行う電源制御装置１００（本発明の電子機器の電源制御装置に相当），中央演算処理装置Ｍ１（ＣＰＵ）を備えるメイン基板Ｍ，電源Ｅ，及び電源Ｅとメイン基板Ｍとの間に設けられたスイッチＳを備えており、電源ＯＮ／ＯＦＦリモートコントロール装置２００（本発明の電子機器の電源遠隔制御装置に相当）は、不揮発性メモリ２００Ａとマイコン２００Ｂと通信装置２００Ｃとを備えている。メイン基板Ｍと電源制御装置１００とはそれぞれ異なる経路によって電源Ｅから電源を供給されて動作しており、メイン基板Ｍに電源が供給されていない状態においても電源制御装置１００は動作するように構成されている。
図２は、本発明の実施形態による電源制御システムのシステムブロックを示す図である。以下、図２を用いて本システムが備える各要素について詳細に説明する。
〈〈電源制御装置１００〉〉
電源制御装置１００は、デバイスＤの電源の供給（ＯＮ／ＯＦＦ）を制御するための装置であり、供給部１０１（本発明の供給手段に相当），送受信部１０２（本発明の受信手段，及び通知手段に相当），記憶部１０３（本発明の記憶手段，及び条件情報記憶手段に相当），情報判断部１０４（本発明の判断手段，及び確認判断手段に相当），制御部１０５，停止部１０６（本発明の停止手段に相当），及び不図示の計時部によって構成される。
なお、図２に示した供給部１０１，情報判断部１０４，制御部１０５，停止部１０６は、図１におけるマイコン１００Ｂに、送受信部１０２は通信装置１００Ｃに、記憶部１０３は不揮発性メモリ１００Ａにそれぞれ相当する。
供給部１０１は、デバイスＤの電源のＯＮ／ＯＦＦを制御する。情報判断部１０４から、デバイスＤへの電源供給要求を受けた場合は、供給部１０１は、デバイスＤに電源を供給する。
送受信部１０２は、電源ＯＮ／ＯＦＦリモートコントロール装置２００との情報の授受を行う。送受信部１０２は、ＵＳＢ（Ｕｎｉｖｅｒｓａｌ  Ｓｅｒｉａｌ  Ｂｕｓ）のように有線で構成されても、ＩｒＤＡ（Ｉｎｆｒａｒｅｄ  Ｄａｔａ  Ａｓｓｏｃｉａｔｉｏｎ）のように無線で構成（非接触通信）されても良い。
記憶部１０３は、ＦＬＡＳＨ  ＲＯＭで構成される。記憶部１０３は、デバイス情報（本発明の条件情報，照合元情報，電子機器の識別情報，及び電子機器の終了時刻に相当），及びセキュリティ情報（本発明の条件情報，照合元情報，使用者の認証情報，使用者によって指定されたパスワード，及び使用者のバイオメトリクス情報に相当）を記憶する。記憶部１０３は、制御部１０５によってデータの読み出し、書き込みを実行され、電源が供給されなくても半永久的にデータを記憶することができる。
情報判断部１０４は、デバイスＤに電源を供給するか否かの判断を行う。記憶部１０３に記憶されているデバイス情報又はセキュリティ情報と、送受信部１０２が電源ＯＮ／ＯＦＦリモートコントロール装置２００から受信したデバイス情報（本発明の条件判定情報，照合対象情報に相当）又はセキュリティ情報（本発明の条件判定情報，照合対象情報に相当）とが矛盾しない（一致する，又は一方及び／又は他方を変換することによって一致する等）か否かを判断する。情報判断部１０４がデバイス情報及びセキュリティ情報が矛盾しないと判断した場合に、供給部１０１に対して電源供給要求を送る。
制御部１０５は、ＣＰＵ及びこの周辺装置のコントローラ等からなり、記憶部１０３に対するデータの読出／書込制御を行う。
停止部１０６は、デバイスＤの電源のＯＮ／ＯＦＦを制御する。情報判断部１０４からデバイスＤへの電源供給停止要求を受けた場合は、停止部１０６は、デバイスＤへの電源供給を停止する。
計時部は、例えばＣＰＵの動作クロックを用いて所定の時間を計時する。計時部は、電源制御装置１００の送受信部１０２が送受信を始めてから、あらかじめ決められている時間が経過するとタイムアウト信号を発信する。
〈〈電源ＯＮ／ＯＦＦリモートコントロール装置２００〉〉
電源ＯＮ／ＯＦＦリモートコントロール装置２００は、デバイスＤに電源を供給するように電源制御装置１００に対してＯＮ命令（電源供給命令）及びＯＦＦ命令（停止命令）を送信するための装置であり、セキュリティ情報入力部２０１，ＯＮ命令入力部２０２，ＯＦＦ命令入力部２０３，送受信部２０４（本発明の送信手段に相当），記憶部２０５（本発明の条件判定情報記憶手段，及び解除条件情報記憶手段に相当），情報判断部２０６（本発明の解除条件判断手段に相当），制御部２０７，規制部２０８（本発明の規制手段に相当），解除部２０９（本発明の解除手段に相当），及び不図示の計時部によって構成される。
なお、図２に示した情報判断部２０６，制御部２０７，規制部２０８，解除部２０９は、図１におけるマイコン２００Ｂに、送受信部２０４は通信装置２００Ｃに、記憶部２０５は不揮発性メモリ２００Ａにそれぞれ相当する。
セキュリティ情報入力部２０１は、ボタン，キーボード，ポインティングデバイス（マウス、トラックボール、ジョイスティック等），又はスキャナ等を用いて構成され、ユーザがセキュリティ情報（本発明の条件判定情報，照合対象情報，及び解除条件判断情報に相当）を入力するために使用される。
ＯＮ命令入力部２０２，及びＯＦＦ命令入力部２０３は、ボタンを用いて構成され、ユーザがそれぞれＯＮ命令，及びＯＦＦ命令を入力するために使用される。
送受信部２０４は、電源制御装置１００と情報の授受を行う。送受信部２０４は、ＵＳＢのように有線で構成されても、ＩｒＤＡのように無線で構成されても良い。
記憶部２０５は、ＦＬＡＳＨ  ＲＯＭで構成される。記憶部２０５は、デバイス情報，及びセキュリティ情報を記憶する。記憶部２０５は、制御部２０７によってデータの読み出し、書き込みを実行され、電源が供給されていなくても半永久的にデータを記憶することができる。
情報判断部２０６は、規制部２０８が行う規制を解除するか否かの判断を行う。記憶部２０５に記憶されているセキュリティ情報と、セキュリティ情報入力部２０１によって入力されたセキュリティ情報とが矛盾しないか否かを判断する。情報判断部２０６は、上記二つのセキュリティ情報が矛盾しないと判断した場合に、解除部２０９に対して規制解除要求を送る。
制御部２０７は、ＣＰＵ及びこの周辺装置のコントローラ等からなり、記憶部２０５に対するデータの読出／書込制御を行う。
規制部２０８は、ＯＮ命令入力部２０２及びＯＦＦ命令入力部２０３に対する操作の規制を行う。
解除部２０９は、上記規制の解除を行う。情報判断部２０６から規制を解除するための規制解除要求を受けた場合、規制部２０８が行っている上記規制を解除し、ＯＮ命令入力部２０２及びＯＦＦ命令入力部２０３の動作を可能にする。
計時部は、例えばＣＰＵの動作クロックを用いて所定の時間を計時する。計時部は、電源ＯＮ／ＯＦＦリモートコントロール装置２００の送受信部２０４が送受信を始めてから、あらかじめ決められている時間が経過するとタイムアウト信号を発信する。
なお、セキュリティ情報入力部２０１，ＯＮ命令入力部２０２，及びＯＦＦ命令入力部２０３が本発明の入力手段に相当する。
図３に本実施形態による電源ＯＮ／ＯＦＦリモートコントロール装置２００の外観例を示す。図に示されているように、電源ＯＮ／ＯＦＦリモートコントロール装置２００は厚さの薄い直方体（可搬性を有する筐体）によって構成され、最も面積の広い一面に出力部，ＯＮ命令入力部２０２，ＯＦＦ命令入力部２０３，及びセキュリティ情報入力部２０１が備えられている。また、最も面積の狭い一面には送受信部２０４が備えられている。
図３（Ａ）は、セキュリティ情報入力部２０１がボタンで構成されている例を示している。例えば、セキュリティ情報が数字によって構成されるパスワードであった場合にこのような構成をとると良い。また、図３（Ｂ）はセキュリティ情報入力部２０１がスキャナで構成されている。例えば、セキュリティ情報がユーザの指紋情報によって構成される場合にこのような構成をとると良い。
セキュリティ情報は上記した指紋に代表されるバイオメトリクス情報であっても良い。このため、セキュリティ情報入力部２０１は、採用したバイオメトリクス情報を入力するための入力手段によって構成されても良い。
〈本システムの動作例〉
図４乃至１２は、本システムの動作例を示すフローチャートである。次に、本システムの動作例を図４乃至１２を用いて説明する。
〈〈電源制御装置１００の動作例〉〉
まず、図４乃至８を用いて電源制御装置１００の動作例について説明する。図４に示すように、送受信部１０２が電源ＯＮ／ＯＦＦリモートコントロール装置２００からデータを受信し（ＡＭ１）、送受信部１０２が受信した受信データがＯＮ命令入力部２０２（電源ＯＮボタン）の押下情報であり（ＡＭ２）、且つ、供給部１０１が電源を供給していない（電源がＯＦＦ）（ＡＭ３）場合は、図５及び６に示す電源ＯＮシーケンスＡに移動する（ＡＭ４）。
制御部１０５が、電源ＯＮ／ＯＦＦリモートコントロール装置２００に対してデバイス情報を要求し（ＡＮ１）、送受信部１０２はデバイス情報を受信する（ＡＮ２）。このとき、デバイス情報を受信する前に一定の時間が経過した場合は、計時部がタイムアウトと判断し、図４に示すＳＴＡＲＴに戻る（ＡＮ３）。送受信部１０２がデバイス情報の受信を終わると（ＡＮ４）、情報判断部１０４は受信したデバイス情報と、記憶部１０３に記憶されているデバイス情報とが矛盾しないか否かを判断する（ＡＮ５）。情報判断部１０４が矛盾しないと判断した場合、制御部１０５は電源ＯＮ／ＯＦＦリモートコントロール装置２００に対してセキュリティ情報を要求し（ＡＮ６）、送受信部１０２はセキュリティ情報を受信する（ＡＮ７）。受信タイムアウトせずに送受信部１０２がセキュリティ情報の受信を終わると（ＡＮ８，ＡＮ９）、情報判断部１０４は受信したセキュリティ情報と記憶部１０３に記憶されているセキュリティ情報とが矛盾しないか否かを判断する（ＡＮ１０）。情報判断部１０４は、矛盾しないと判断した場合供給部１０１に対して電源供給要求を送り、供給部１０１はデバイスＤに電源を供給する（ＡＮ１１）。
ただし、本実施形態におけるシステムが初期状態である場合、電源ＯＮ／ＯＦＦリモートコントロール装置２００の記憶部２０５にはデバイス情報が記憶されていない。このため、図５に示されているＡＮ２の時点における送受信部１０２によるデバイス情報の受信及び図６に示されているＡＮ１０の時点における情報判断部１０４によるセキュリティ情報のチェックを行うことができない。このとき、情報判断部１０４は、セキュリティ情報のチェックは行わず電源供給要求を供給部１０１に送り、供給部１０１は、デバイスＤに電源を供給する。例えば、初期状態において電源ＯＮ／ＯＦＦリモートコントロール装置２００の記憶部２０５が初期状態を示すデバイス情報を持ち、情報判断部１０４がＡＮ５の時点で初期状態であることを判断するように構成することによって実現することができる。
送受信部１０２が電源ＯＮ／ＯＦＦリモートコントロール装置２００からデータを受信し（ＡＭ１）、その受信データがＯＮ命令入力部２０２の押下情報ではなく（ＡＭ２）ＯＦＦ入力部２０３の押下情報であり（ＡＭ５）、且つデバイスの電源がＯＮであった（ＡＭ６）場合は、図７及び８に示す電源ＯＦＦシーケンスＡに移動する（ＡＭ７）。
まず、送受信部１０２は電源ＯＮ／ＯＦＦリモートコントロール装置２００に対してデバイス情報を送信する（ＡＦ１）。電源ＯＮ／ＯＦＦリモートコントロール装置２００の記憶部２０５への書き込み時間が経過したと計時部が判断した後、制御部１０５は、電源ＯＮ／ＯＦＦリモートコントロール装置２００に対してデバイス情報の要求を行い（ＡＦ２）、送受信部１０２はデバイス情報を受信する（ＡＦ３）。送受信部１０２が受信タイムアウトすることなくデバイス情報を受信し終わると（ＡＦ４，ＡＦ５）、情報判断部１０４は、受信したデバイス情報が記憶部１０３に記憶されているデバイス情報と矛盾しないか否かを判断する（ＡＦ６）。情報判断部１０４が矛盾しないと判断した場合、送受信部１０２は、電源ＯＮ／ＯＦＦリモートコントロール装置２００に対してデバイス情報が矛盾しなかった旨を伝える（ＡＦ７）。次に制御部１０５は電源ＯＮ／ＯＦＦリモートコントロール装置２００に対してセキュリティ情報を要求し（ＡＦ８）、送受信部１０２はセキュリティ情報を受信する（ＡＦ９）。受信タイムアウトすることなくセキュリティ情報を受信し終わると（ＡＦ１０，ＡＦ１１）、制御部１０５は記憶部１０３に受信したセキュリティ情報を書き込み（ＡＦ１２）、送受信部１０２は書き込まれたセキュリティ情報を電源ＯＮ／ＯＦＦリモートコントロール装置２００に対して送信する（ＡＦ１３）。送受信部１０２が、受信タイムアウトすることなく電源ＯＮ／ＯＦＦリモートコントロール装置２００から電源切断要求を受信した場合（ＡＦ１４，ＡＦ１５）、停止部１０６はデバイス（装置）の電源を切断する（ＡＦ１６）。
〈〈電源ＯＮ／ＯＦＦリモートコントロール装置２００〉〉
次に、図９乃至１２を用いて電源ＯＮ／ＯＦＦリモートコントロール装置２００の動作例について説明する。
図９に示すように、ユーザによってセキュリティ情報入力部２０１からセキュリティ情報が入力されると（ＢＭ１）、情報判断部２０６は入力されたセキュリティ情報と記憶部２０５に記憶されているセキュリティ情報とが矛盾するか否かを判断する（ＢＭ２）。矛盾しないと判断した場合（ユーザが正規ユーザであると判断した場合）、解除部２０９は、ＯＮ命令入力部２０２，及びＯＦＦ命令入力部２０３に対して規制部２０８が行っている規制を解除する（ＢＭ３）。ここで、ＯＮ命令入力部２０２が押下された場合（ＢＭ４）、図１０に示す電源ＯＮシーケンスＢに移動する（ＢＭ５）。
送受信部２０４は、ＯＮ命令入力部２０２が押下されたという情報を電源制御装置１００に送信した後に（ＢＮ１）、電源制御装置１００からデバイス情報要求を受信し（ＢＮ２）、デバイス情報を電源制御装置１００に対して送信する（ＢＮ３）。その後、送受信部２０４は、電源制御装置１００よりセキュリティ情報要求を受信し（ＢＮ４）、セキュリティ情報を電源制御装置１００に対して送信する（ＢＮ５）。その後、図９に示すように、規制部２０９はＯＮ命令入力部２０２及びＯＦＦ命令入力部２０３の操作を再び規制する（ＢＭ９）。
解除部２０８が、ＯＮ命令入力部２０２及びＯＦＦ命令入力部２０３に対して規制部２０９が行っている規制を解除した後に（ＢＭ３）、ＯＦＦ命令入力部２０３が押下された場合（ＢＭ４，ＢＭ６）、図１１及び１２に示す電源ＯＦＦシーケンスＢに移動する（ＢＭ７）。
送受信部２０４は、ＯＦＦ命令入力部２０３が押下されたという情報を電源制御装置１００に対して送信した後に（ＢＦ１）、電源制御装置１００からデバイス情報を受信する（ＢＦ２）。送受信部２０４がデバイス情報を受信し終わると（ＢＦ３）、制御部２０７はデバイス情報を記憶部２０５に書き込み（ＢＦ４）、送受信部２０４は書き込まれたデバイス情報を電源制御装置１００に対して送信する（ＢＦ５）。送受信部２０４が電源制御装置１００よりデバイス情報確認を受信すると（ＢＦ６）、送信部２０４は、記憶部２０５に記憶されているセキュリティ情報を電源制御装置１００に対して送信する（ＢＦ７）。その後、送受信部２０４は電源制御装置１００からセキュリティ情報を受信し（ＢＦ８）、受信が終わった後（ＢＦ９）、情報判断部２０６は受信し終わったセキュリティ情報と、記憶部２０５に記憶されているセキュリティ情報とが矛盾しないか否かを判断する（ＢＦ１０）。情報判断部２０６が矛盾しないと判断した場合、送受信部２０４は、電源制御装置１００に対して停止命令（電源切断要求）を送信する。その後、図９に示すように、規制部２０８はＯＮ命令入力部及びＯＦＦ命令入力部２０３の操作を再び規制する。
〈データフロー〉
図１３及び１４は電源制御装置１００と電源ＯＮ／ＯＦＦリモートコントロール装置２００とが行う情報の授受の様子の例を示した図である。以下、図１３，１４を用いて電源制御装置１００と電源ＯＮ／ＯＦＦリモートコントロール装置２００との間に行われるデータ授受の流れを説明する。
〈〈電源ＯＮ〉〉
図１３を用いて電源がＯＮされる場合のデータの流れを説明する。デバイスの電源ＯＮの処理は、ユーザが電源ＯＮ／ＯＦＦリモートコントロール装置２００の電源ＯＮボタンを押下することによって始まる。デバイス電源制御部（電源制御部１００）が電源ＯＮ／ＯＦＦリモートコントロール装置２００からの電源ＯＮボタン押下情報を受信すると、電源制御部１００は電源ＯＮ／ＯＦＦリモートコントロール装置２００に対して、電源ＯＮ／ＯＦＦリモートコントロール装置２００内の不揮発性メモリに保存されたデバイス情報を要求するコマンドを発行する（ＯＮ１）。
電源ＯＮ／ＯＦＦリモートコントロール装置２００がデバイス情報を要求するコマンドを受信すると、電源制御部１００に対し、デバイス情報を転送する（ＯＮ２）。
電源制御部１００が電源ＯＮ／ＯＦＦリモートコントロール装置２００からデバイス情報を受信すると、電源制御部１００は、この受信したデバイス情報と電源制御部１００自身内の不揮発性メモリ内に保存されているデバイス情報とを比較する。一致している場合は、電源制御部１００は電源ＯＮ／ＯＦＦリモートコントロール装置２００に対しセキュリティ情報を要求する。また、一致しない場合は、電源制御部１００はデバイスの電源ＯＮの処理を中断し、電源ＯＮ／ＯＦＦリモートコントロール装置２００からの電源ＯＮボタン押下情報を待つ状態に入る（ＯＮ３）。
電源ＯＮ／ＯＦＦリモートコントロール装置２００は電源制御部１００からセキュリティ情報の要求コマンドを受信すると、電源ＯＮ／ＯＦＦリモートコントロール装置２００自身の不揮発性メモリ内に保存されているセキュリティ情報を電源制御部１００に転送する（ＯＮ４）。
電源制御部１００が電源ＯＮ／ＯＦＦリモートコントロール装置２００からセキュリティ情報を受信すると、電源制御部１００は、この受信したセキュリティ情報と自身の不揮発性メモリ内に保存されているセキュリティ情報とを比較する。一致している場合は、電源制御部１００はデバイスの電源を投入する（ＯＮ５）。
〈〈電源ＯＦＦ〉〉
図１４を用いて電源がＯＦＦされる場合のデータの流れを説明する。デバイスの電源ＯＦＦの処理は、ユーザが電源ＯＮ／ＯＦＦリモートコントロール装置２００の電源ＯＦＦボタンを押下することによって始まる。デバイス電源制御部１００が電源ＯＮ／ＯＦＦリモートコントロール装置２００からの電源ＯＦＦボタン押下情報を受信すると、電源制御部１００は電源ＯＮ／ＯＦＦリモートコントロール装置２００に対して、電源制御部１００内の不揮発性メモリ内に保存されているデバイス情報を送信する（ＯＦＦ１）。
上記のデバイス情報を受信した電源ＯＮ／ＯＦＦリモートコントロール装置２００は、電源ＯＮ／ＯＦＦリモートコントロール装置２００自身の不揮発性メモリに受信したデバイス情報を書き込む。電源ＯＮ／ＯＦＦリモートコントロール装置２００は、電源ＯＮ／ＯＦＦリモートコントロール装置２００自身の不揮発性メモリに書き込んだデバイス情報を読み取り、読み取ったデータを電源制御部１００に送信する（ＯＦＦ２）。
電源制御部１００は、電源ＯＮ／ＯＦＦリモートコントロール装置２００から受信したデバイス情報と自身の不揮発性メモリに保存されているデバイス情報とを比較する。これらが一致していれば、デバイス情報確認ＯＫデータを電源ＯＮ／ＯＦＦリモートコントロール装置２００に送信する。一致していなければ、デバイスの電源ＯＦＦ処理をこれ以上行わず、電源ＯＦＦボタンが押されるのを待つ状態に戻る（ＯＦＦ３）。
電源ＯＮ／ＯＦＦリモートコントロール装置２００は、電源制御部１００からデバイス情報確認ＯＫデータを受信したら、電源ＯＮ／ＯＦＦリモートコントロール装置２００自身の不揮発性メモリにあらかじめ保存されているセキュリティ情報を電源制御部１００に送信する。（ＯＦＦ４）
電源制御部１００は、電源ＯＮ／ＯＦＦリモートコントロール装置２００から受信したセキュリティ情報を電源制御部１００自身の不揮発性メモリに保存する。電源制御部１００の不揮発性メモリに保存したセキュリティ情報を読み取り、読み取ったデータを電源ＯＮ／ＯＦＦリモートコントロール装置２００に送り返す（ＯＦＦ５）。
電源ＯＮ／ＯＦＦリモートコントロール装置２００は、電源制御部１００から受信したセキュリティ情報と電源ＯＮ／ＯＦＦリモートコントロール装置２００に送信自身の不揮発性メモリに保存されているセキュリティ情報とを比較する。これらが一致していれば、デバイス電源切断指示データを電源制御部１００に送信する。一致していない場合、デバイスの電源ＯＦＦ処理をこれ以上行わず、電源ＯＦＦが押されるのを待つ状態に戻る。（ＯＦＦ６）
電源制御部１００は、電源ＯＮ／ＯＦＦリモートコントロール装置２００からデバイス電源切断指示データを受信したら、電源制御部１００は、デバイスの電源を切断する。（ＯＦＦ７）
産業上の利用可能性
本発明によれば、電子機器の電源制御を電源制御装置及び電源遠隔制御装置を用いて行うことにより、関係者以外の者が電子機器に電源を供給しスタンバイ状態にすることが困難となる。
【図面の簡単な説明】
図１は、本発明による電子機器の電源制御システムの実施形態のハードウェア構成を示す図である。
図２は、図１に示した電子機器の電源制御システムのシステムブロックを示す図である。
図３は、図１に示した電源ＯＮ／ＯＦＦリモートコントロール装置の外観例を示す図である。
図４は、図１に示した電源制御部の動作例を示すフローチャートである。
図５は、図１に示した電源制御部の動作例を示すフローチャートである。
図６は、図１に示した電源制御部の動作例を示すフローチャートである。
図７は、図１に示した電源制御部の動作例を示すフローチャートである。
図８は、図１に示した電源制御部の動作例を示すフローチャートである。
図９は、図１に示した電源ＯＮ／ＯＦＦリモートコントロール装置の動作例を示すフローチャートである。
図１０は、図１に示した電源ＯＮ／ＯＦＦリモートコントロール装置の動作例を示すフローチャートである。
図１１は、図１に示した電源ＯＮ／ＯＦＦリモートコントロール装置の動作例を示すフローチャートである。
図１２は、図１に示した電源ＯＮ／ＯＦＦリモートコントロール装置の動作例を示すフローチャートである。
図１３は、図１に示した電子機器の電源制御システムにおいて電源ＯＮする際のデータの流れを示す図である。
図１４は、図１に示した電子機器の電源制御システムにおいて電源ＯＦＦする際のデータの流れを示す図である。
【図１】
0004540985.tif 000002
【図２】
0004540985.tif 000003
【図３】
0004540985.tif 000004
【図４】
0004540985.tif 000005
【図５】
0004540985.tif 000006
【図６】
0004540985.tif 000007
【図７】
0004540985.tif 000008
【図８】
0004540985.tif 000009
【図９】
0004540985.tif 000010
【図１０】
0004540985.tif 000011
【図１１】
0004540985.tif 000012
【図１２】
0004540985.tif 000013
【図１３】
0004540985.tif 000014
【図１４】
0004540985.tif 000015